(57)【要約】【課題】屋内の部屋の空気の熱エネルギーの利用効率を高めることができる空気流通システムを提供する。【解決手段】部屋２〜５は、ダクト２０と各部屋の給排気装置２１ａ〜２１ｄとから構成された空気移動手段によって、相互に室内空気の移動が可能とされている。コントローラ２２は、各部屋２〜５に人が在室しているか不在であるかを各部屋２〜５に設けた撮像装置８，１２や在室報知操作スイッチ１５，１６等を介して把握し、それに基づいてある一つの部屋（第１の部屋）から、他の一つの部屋（第２の部屋）への人の移動を認識する。人の移動を認識したとき、移動元の部屋および移動先の部屋の給排気装置を運転させ、両部屋の室温がほぼ同等になるまで、移動元の部屋の室内空気を移動先の部屋に移動させる。【選択図】図１
2004293849.tif 000002
【特許請求の範囲】
【請求項１】
屋内の複数の部屋を互いに連通させる空気流通路を介して該複数の部屋間で相互に室内空気を移動可能に設けられた空気移動手段と、前記複数の部屋のそれぞれにおける人の在室および不在を判断する在室不在判断手段と、前記複数の部屋のそれぞれの室温を検出する室温検出手段と、前記複数の部屋のうちの第１の部屋での在室不在判断手段の判断結果が在室から不在に変化し、続いて該第１の部屋と異なる第２の部屋での在室不在判断手段の判断結果が不在から在室に変化した場合に、該第２の部屋での不在から在室への変化時における前記第１の部屋の検出室温と第２の部屋の検出室温との差の絶対値が所定値を越えているとき、該第１および第２の部屋の検出室温の差の絶対値が前記所定値内に収まるまで前記第１の部屋の室内空気を第２の部屋に移動させるように前記空気移動手段の運転を制御する制御手段とを備えたことを特徴とする屋内の空気流通システム。
【請求項２】
少なくとも前記第２の部屋には外気を導入する換気装置と該第２の部屋の暖房又は冷房を行う空調装置とが備えられ、前記制御手段には、該換気装置および空調装置の運転情報を取得する手段が備えられると共に、前記屋外の気温を検出する屋外温度検出手段の検出データが入力され、
前記制御手段は、前記第１および第２の部屋の検出室温の差の絶対値が前記所定値内に収まるまで、前記空気移動手段の運転を行わせて前記第１の部屋から第２の部屋に室内空気を移動させた後、前記空調装置と換気装置との並行運転を把握したとき、前記第１の部屋の検出室温が前記屋外温度検出手段の検出室温に略等しくなるまで、第１の部屋から第２の部屋に室内空気を移動させるように前記空気移動手段を制御することを特徴とする請求項１記載の屋内の空気流通システム。
【発明の詳細な説明】
【０００１】
【発明の属する技術分野】
本発明は、屋内の複数の部屋間で相互に室内空気を流通させるシステムに関する。
【０００２】
【従来の技術】
屋内の複数の部屋の暖房や冷房を行う空調システムとしては、例えば特開平１１−２４１８４９号公報に見られるように、和室、洋室等の主要な部屋毎に空調装置を設けたものが一般に知られている。このようなシステムでは、人が在室する部屋において空調装置を運転させて、その部屋の暖房や冷房が行われる。
【０００３】
また、例えば特開平５−１７２３７１号公報に見られるように、各部屋に通じる給気ダクトおよび排気ダクトを備えた一体型集中空調システムも知られている。このシステムでは、人が在室する部屋において、給気口および排気口に備えられたダンパを所望の開度で開くことにより、その部屋の暖房や冷房が行われる。
【０００４】
しかしながら、これらのシステムでは、例えば暖房を行っている一つの部屋に在室していた人が、その部屋の暖房を止めて、別の部屋に移動したような場合には、移動元の部屋の暖められた空気の熱エネルギーの多くは、自然放熱によって失われてしまう。また、移動先の部屋が、その移動前に暖房を行っていなかったような場合には、その移動先の部屋の暖房を冷えた状態から独立的に行うこととなるため、その移動先の部屋が暖まるまでに、多くのエネルギーを必要とする。
【０００５】
従って、従来のシステムは、エネルギーの利用効率が悪いものとなっていた。
【０００６】
【特許文献１】
特開平１１−２４１８４９号公報
【特許文献２】
特開平５−１７２３７１号公報
【０００７】
【発明が解決しようとする課題】
本発明はかかる背景に鑑みてなされたものであり、屋内の部屋の空気の熱エネルギーの利用効率を高めることができる空気流通システムを提供することを目的とする。
【０００８】
【課題を解決するための手段】
本発明の屋内の空気流通システムは、前記の目的を達成するために、屋内の複数の部屋を互いに連通させる空気流通路を介して該複数の部屋間で相互に室内空気を移動可能に設けられた空気移動手段と、屋内の複数の部屋間で相互に室内空気を移動可能に設けられた空気移動手段と、前記複数の部屋のそれぞれにおける人の在室および不在を判断する在室不在判断手段と、前記複数の部屋のそれぞれの室温を検出する室温検出手段と、前記複数の部屋のうちの第１の部屋での在室不在判断手段の判断結果が在室から不在に変化し、続いて該第１の部屋と異なる第２の部屋での在室不在判断手段の判断結果が不在から在室に変化した場合に、該第２の部屋での不在から在室への変化時における前記第１の部屋の検出室温と第２の部屋の検出室温との差の絶対値が所定値を越えているとき、該第１および第２の部屋の検出室温の差の絶対値が前記所定値内に収まるまで前記第１の部屋の室内空気を第２の部屋に移動させるように前記空気移動手段の運転を制御する制御手段とを備えたことを特徴とする。
【０００９】
かかる本発明において、屋内の任意の一つの部屋（第１の部屋）に人が在室している状態においては、一般にその部屋の室温は、該部屋に備えられた空調装置の運転等によって、在室者にとって好適な温度（少なくとも不満の無い温度）になっている。そして、その第１の部屋に在室していた人が、別の部屋（第２の部屋）に移動すると、前記在室不在判断手段の判断結果は、第１の部屋については、在室から不在に変化し、それに続いて、第２の部屋において不在から在室に変化する。このとき、前記制御手段は、前記室温検出手段による第１の部屋の検出室温と、第２の部屋の検出室温との差の絶対値が所定値（基本的には０近傍の値で、０を含む）を越えているか否かを判断する。そして、越えている場合には、制御手段は、前記空気移動手段を制御し、第１の部屋の検出室温と第２の部屋の検出室温との差の絶対値が前記所定値内に収まるまで、すなわち、両部屋の検出室温がほぼ同等になるまで、第１の部屋から第２の部屋に前記空気流通路を介して室内空気を流通させる。
【００１０】
ここで、人の移動元の第１の部屋の検出室温と移動先の第２の部屋の検出室温との差の絶対値が所定値を越えているような状況では、該第２の部屋の室温は、その人にとって快適な室温ではないので、人はその第２の部屋に備えられた空調装置の運転等によって該第２の部屋の室温を自身にとって好適な温度にしようとする。そして、この場合、移動元の第１の部屋の好適な温度の室内空気が移動先の第２の部屋に流入するため、第２の部屋で、人にとって好適な室温環境を早期に実現できる。また、第２の部屋に空調装置が備えられていない場合であっても、第１の部屋の室内空気が第２の部屋に流入することで、第２の部屋の室温を人にとって好適な温度に近づけることができ、第２の部屋の室温状態の快適性を高めることができる。
【００１１】
従って、本発明によれば、人の移動元の第１の部屋の室内空気の熱エネルギーを無駄に失わせることなく有効に活用して、移動先の第２の部屋の室温状態の快適性を高めることができる。
【００１２】
なお、本発明では、前記空気流通路はダクト等により構成されていてもよいが、例えば、複数の部屋が共通の廊下（通路）に臨んでいる場合には、その廊下を空気流通路として利用してもよい。
【００１３】
前記第２の部屋に外気を導入する換気装置と該第２の部屋の暖房又は冷房を行う空調装置とが備えられている場合には、人が移動先の第２の部屋で空調装置の運転をある程度継続して行った後（例えば第２の部屋の室温が空調装置の設定室温にほぼ近づいた後）に、部屋の換気を行うために、換気装置の運転が自動もしくは手動で開始される場合がある。この場合、換気装置は外気を第２の部屋に導入するので、第２の部屋の室温が快適な温度から屋外の気温側に変移しやすくなる。一方、移動元の第１の部屋の室温は、最終的には、屋外の気温と同等になるまで変化するが、屋外の気温とほぼ同等になるまでは、快適な温度側に偏っている。
【００１４】
そこで、本発明では、少なくとも前記第２の部屋には外気を導入する換気装置と該第２の部屋の暖房又は冷房を行う空調装置とが備えられている場合に、前記制御手段には、該換気装置および空調装置の運転情報を取得する手段を備える。そして、前記制御手段は、前記第１および第２の部屋の検出室温の差の絶対値が前記所定値内に収まるまで、前記空気移動手段の運転を行わせて前記第１の部屋から第２の部屋に室内空気を移動させた後、前記空調装置と換気装置との並行運転を把握したとき、前記第１の部屋の検出室温が前記屋外温度検出手段の検出室温に略等しくなるまで、第１の部屋から第２の部屋に室内空気を移動させるように前記空気移動手段を制御する。
【００１５】
これによれば、第１および第２の部屋の検出室温の差の絶対値が前記所定値内に収まるまで、前記空気移動手段により前記第１の部屋から第２の部屋に室内空気を移動させた後、空調装置と換気装置との並行運転が行なわれたときには、移動元の第１の部屋と移動先の第２の部屋との両者の検出室温がほぼ同等になるまで空気移動手段により第１の部屋の室内空気を第２の部屋に移動させる。これにより、移動先の第２の部屋には、換気装置により外気が導入される一方、第１の部屋から快適な温度により近い温度の室内空気が第２の部屋に導入されるため、第２の部屋での空調装置の運転負荷が緩和される。つまり、第１の部屋の室内空気の熱エネルギーを活用して、第２の部屋の空調装置のエネルギー消費を低減できる。
【００１６】
【発明の実施の形態】
本発明の屋内の空気流通システムの一実施形態を図１〜図４を参照して説明する。
【００１７】
図１は本実施形態における屋内としての家屋１の内部の概略構成を示す平面図であり、この家屋１内には、和室２、洋室３（この例では居室、兼食堂の部屋）、脱衣室４、バス・トイレ室５等の部屋が備えられ、それらの部屋２〜５が壁やドア、ふすま等を介して区画されている。なお、この例では、脱衣室４は、玄関６に通じている。
【００１８】
これらの部屋２〜５のうち、和室２にはファンヒータ７が配置されていると共に、和室２内の映像を撮像する撮像装置８が和室２の壁に取り付けられている。撮像装置８はＣＣＤカメラ等により構成されたものである。また、和室２の壁には、和室２内と屋外との間の空気の流通を可能とする通気口９が設けられている。
【００１９】
洋室３にはファンヒータ１０が配置されていると共に、床暖房装置１１が設けられている。さらに、和室２の撮像装置８と同様に洋室３内の映像を撮像する撮像装置１２が洋室３の壁に取り付けられていると共に、洋室３内の換気を行うための換気扇装置１３が洋室３の壁に取り付けられている。また、洋室３内の壁には、洋室３内と屋外との間の空気の流通を可能とする通気口１４が設けられている。なお、洋室３のファンヒータ１０および床暖房装置１１は本発明における空調装置に相当するものであり、換気扇装置１３は本発明における換気装置に相当するものである。
【００２０】
脱衣室４およびバス・トイレ室５のそれぞれの壁には、それぞれの部屋に人が居ることを後述するコントローラ２２に知らせるための在室報知操作スイッチ（ＯＮ／ＯＦＦスイッチ）１５，１６が取り付けられている。この場合、各在室報知操作スイッチ１５，１６のＯＮ操作は、該スイッチ１５，１６を有する部屋に人が在室していることを意味し、ＯＦＦ操作は、該スイッチ１５，１６を有する部屋から人が出ていき、その部屋に人が不在となることを意味する。また、脱衣室４に通じる玄関６の壁と、バス・トイレ室５の壁とには、それぞれの部屋内と屋外との間の空気の流通を可能とする通気口１７，１８が設けられている。
【００２１】
なお、本実施形態では、和室２、洋室３、玄関６（脱衣室４に通じる箇所）、およびバス・トイレ室５にそれぞれ通気口９，１４，１７，１８を備えているが、それらは、各部屋２〜５に外気が流通し得る程度のものであればよく、単なる隙間等であってもよい。
【００２２】
また、前記和室２、洋室３、脱衣室４およびバス・トイレ室５には、それぞれの部屋の室温を検出する室温検出手段としての室温センサ１９ａ，１９ｂ，１９ｃ，１９ｄがそれぞれ設けられている。さらに、家屋１の外の適所、例えば家屋１の外壁には、屋外の気温（外気温）を検出する屋外温度検出手段としての外気温センサ１９ｘが設けられている。
【００２３】
さらに、和室２、洋室３、脱衣室４およびバス・トイレ室５の天井には、これらの部屋にまたがってダクト２０が配管されている。このダクト２０は、各部屋２〜５の内部空間を相互に連通させるものであり、各部屋２〜５の箇所に給排気口２０ａ，２０ｂ，２０ｃ，２０ｄを備えている。そして、各給排気口２０ａ〜２０ｄには、図示を省略するファンおよびその駆動モータにより構成された給排気装置２１ａ，２１ｂ，２１ｃ，２１ｄが装着されている。この場合、各給排気装置２１ａ〜２１ｄのファンは、正逆両方向に回転可能となっており、例えば該ファンの正転によって、ダクト２０内からそれぞれの部屋２〜５に空気を給気し、また、ファンの逆転によって、それぞれの部屋２〜５内の空気をダクト２０内に吸引する。また、ダクト２０の各給排気口２０ａ〜２０ｄは、それぞれに対応する給排気装置２１ａ〜２１ｄの運転停止中は、図示しない電磁弁等により閉塞されるようになっている。なお、上記ダクト２０は本発明における空気流通路に相当し、また、該ダクト２０および給排気装置２１ａ〜２１ｄは、本発明における空気移動手段を構成するものである。
【００２４】
家屋１内の適所、例えば洋室３には、本実施形態のシステムの制御を行なうコントローラ２２が設けられている。該コントローラ２２は、マイクロコンピュータ等で構成された電子回路ユニットであり、本発明における在室不在判断手段および制御手段としての機能を有するものである。このコントローラ２２は、図２のブロック図で示すように、前記ファンヒータ７，１０、撮像装置８，１２、換気扇装置１３、在室報知操作スイッチ１５，１６、室温センサ１９ａ〜１９ｄ、外気温センサ１９ｘ、および給排気装置２１ａ〜２１ｄとの間で、有線もしくは無線のＬＡＮ（図２では矢印線で表す）等を介して通信（各種データの授受）を行うことができるようになっている。その通信データをより具体的に説明すると、例えば、各ファンヒータ７，１０、および換気扇装置１３の運転情報データ（運転を行っているか停止しているか等の情報）がそれぞれ各ファンヒータ７，１０および換気扇装置１３からコントローラ２２に与えられる。また、各撮像装置８，１２による和室２、洋室３の映像情報データが、各撮像装置８，１２からコントローラ２２に与えられ、在室報知操作スイッチ１５，１６のＯＮ／ＯＦＦ操作データが、これらのスイッチ１５，１６からコントローラ２２に与えられる。さらに、各室温センサ１９ａ〜１９ｄによる検出室温データが各室温センサ１９ａ〜１９ｄからコントローラ２２に与えられると共に、外気温センサ１９ｘによる検出気温データが該外気温センサ１９ｘからコントローラ２２に与えられる。そして、コントローラ２２は、これらの与えられたデータに基づいて給排気装置２１ａ〜２１ｄにこれらの運転動作を規定する運転指令を送出して、該給排気装置２１ａ〜２１ｄの運転を制御する。
【００２５】
なお、ファンヒータ７，１０をそれぞれ有する和室２および洋室３の室温センサ１９ａ，１９ｂについては、ファンヒータ７，１０に備えられたものを代用してもよい。
【００２６】
次に、コントローラ２２の詳細な制御処理の説明と併せて本実施形態のシステムの作動を説明する。コントローラ２２は、図３のフローチャートに示す処理を実行して、給排気装置２１ａ〜２１ｄの運転を制御する。
【００２７】
まず、コントローラ２２は、撮像装置８，１２の映像情報データ並びに在室報知操作スイッチ１５，１６のＯＮ／ＯＦＦ操作データに基づいて、ある一つの部屋から他の部屋への人の移動があったか否かを判断する（ＳＴＥＰ１）。さらに詳細には、コントローラ２２は、その在室不在判断手段の機能によって、和室２および洋室３については、それぞれ撮像装置８，１２の映像情報データを画像処理することで、それぞれの部屋２，３に人が在室しているか不在であるかを判断している。例えば、和室２の撮像装置８に人が所定時間以上、継続的に写っている場合に、該和室２に人が在室していると判断し、それ以外では、人が不在であると判断する。
【００２８】
また、コントローラ２２は、その在室不在判断手段の機能によって、脱衣室４およびバス・トイレ室５については、それぞれ在室報知操作スイッチ１５，１６のＯＮ／ＯＦＦ操作データに基づいて、それぞれの部屋４，５に人が在室しているか不在であるかを判断している。例えば、脱衣室４に居る人が在室報知操作スイッチ１５をＯＮ操作し、そのＯＮ状態が所定時間以上、継続した場合に、該脱衣室４に人が在室していると判断し、それ以外では、人が不在であると判断する。
【００２９】
そして、ある一つの部屋（第１の部屋）での人の在室／不在の判断結果が、在室から不在に変化し、それに続いて（具体的には数十秒以内に）、他の一つの部屋（第２の部屋）での在室／不在の判断結果が、不在から在室に変化したときに、上記第１の部屋から第２の部屋への人の移動があったと判断する。例えば、和室２に居た人が、洋室３に移動すると、和室２の撮像装置８の映像情報データにより、和室２が在室から不在になったことが判断されると共に、その直後に、洋室３の撮像装置１２の映像情報データにより、洋室３が不在から在室になったことが判断され（但し、洋室３にはそれまで他の人は居ないとする）、このとき、コントローラ２２は、和室２から洋室３への人の移動があったと判断する。
【００３０】
なお、和室２、洋室３での人の在室／不在の判断は、脱衣室４等と同様に、在室報知操作スイッチを用いて判断するようにしてもよい。また、脱衣室４、バス・トイレ室５での人の在室／不在の判断は、和室２等と同様に、撮像装置を用いて判断するようにしてもよい。また、撮像装置を用いて判断する場合においては、その判断を撮像装置で行い、その判断結果をコントローラ２２に出力するようにしてもよい。さらに、各部屋における在室／不在の判断は、赤外線感知装置等を用いて行うようにすることも可能である。
【００３１】
上記ＳＴＥＰ１で人の移動があったと判断された場合には、コントローラ２２は、次に、制御手段としての機能によって、ＳＴＥＰ２以降の制御処理を実行する。ＳＴＥＰ２では、コントローラ２２は、移動元の部屋（第１の部屋）および移動先の部屋（第２の部屋）の検出室温データをそれぞれの部屋の室温センサから取得する（ＳＴＥＰ２）。例えば、和室２から洋室３への人の移動があった場合には、コントローラ２２は、室温センサ１９ａ，１９ｂから、それぞれ和室２の検出室温データと洋室３の検出室温データとを取得する。なお、このＳＴＥＰ２以降の処理（ＳＴＥＰ２を含む）は、本実施形態では、移動元の部屋がバス・トイレ室５であった場合には実行されない。
【００３２】
次いで、コントローラ２２は、移動元の部屋の検出室温と移動先の検出室温との差の絶対値が、所定値ε１（例えば１℃）を越えているか否かを判断し（ＳＴＥＰ３）、越えている場合には、ＳＴＥＰ４の処理を経て、ＳＴＥＰ２からの処理を繰り返す。上記ＳＴＥＰ４では、コントローラ２２は、移動元の部屋の給排気装置の吸引運転を行わせ、且つ、移動先の部屋の給排気装置の給気運転を行わせる。これにより、移動先の部屋の室内空気が、前記ダクト２０を通って移動先の部屋に供給される。例えば、移動元、移動先の部屋がそれぞれ和室２、洋室３である場合には、コントローラ２２は、和室２の給排気装置２１ａの吸引運転を行なわせて、和室２の室内空気をダクト２０内に吸引させる。同時に、コントローラ２２は、洋室３の給排気装置２１ｂの給気運転を行なわせて、和室２の給排気装置２１ａによりダクト２０内に取り込まれた和室２の室内空気を洋室２３に給気させる。これにより和室２の室内空気が洋室２３に移動する。
【００３３】
ここで、例えば冬季においては、和室２に在室していた人は、通常、和室２内のファンヒータ７の暖房運転を行っており、和室２の室温は、その人にとって快適な室温に暖められている。そして、その人が和室２から洋室３に移動したときに、該洋室３の室温が、和室２の室温よりも前記所定値ε１（例えば１℃）を越えて低い場合には、上記の如く、和室２の暖められた室内空気が、洋室３に供給される。このため、洋室３を人にとって快適な温度により近い室温側に暖めることができる。また、洋室３に移動した人は、通常、その部屋を暖めるためにファンヒータ１０の運転もしくは床暖房装置１１の運転を開始させるが、和室２の暖められた室内空気が洋室３に積極的に供給されることで、洋室３を早期に暖めることができる。従って、和室２内の室内空気の熱エネルギーを有効に活用しつつ、洋室３のファンヒータ１０の負荷を軽減することができ、エネルギー消費を削減できる。
【００３４】
また、例えば移動先の部屋が脱衣室４である場合にあっては、該脱衣室４には、空調装置が備えられていないものの、移動元の部屋としての和室２の暖められた室内空気が、ダクト２０および給排気装置２１ｃを介して脱衣室４に供給されるため、脱衣室４に移動した人は、後述の如く給排気装置２１ｃが停止するまでは、比較的暖かい環境下で作業等を行うことができる。
【００３５】
上記ＳＴＥＰ２〜４のルーチン処理は、ＳＴＥＰ３の判断結果がＮＯになるまで、すなわち、移動元の部屋の検出室温と移動先の部屋の検出室温との差の絶対値が前記所定値ε１以下になって、それらがほぼ同等の温度になるまで実行される。
【００３６】
そして、ＳＴＥＰ３の判断結果ＮＯになると、コントローラ２２は、移動元、および移動先の部屋のそれぞれの給排気装置の運転を停止させる（ＳＴＥＰ５）。なお、人の移動があってから、最初のＳＴＥＰ３の判断結果がＮＯになる場合もあり得るが、この場合におけるＳＴＥＰ５では、移動元および移動先の部屋のそれぞれの給排気装置が共に停止状態に維持される。
【００３７】
次いで、コントローラ２２は、移動先の部屋に空調手段および換気装置があるか否かを判断する（ＳＴＥＰ６）。ここで、各部屋２〜４に空調手段および換気装置があるか否かのデータは、あらかじめコントローラ２２に入力されて記憶保持されており、その記憶保持データにより、ＳＴＥＰ６の判断が行われる。なお、本実施形態では、空調装置および換気装置の両者が在る部屋は、空調装置としてのファンヒータ１０と換気装置としての換気扇装置１３とを有する洋室３のみである。
【００３８】
ＳＴＥＰ６の判断結果がＮＯである場合には、コントローラ２２は、以下に説明するＳＴＥＰ７以降の処理を実行することなく、ＳＴＥＰ１からの処理を繰り返す。そして、ＳＴＥＰ６の判断結果がＹＥＳである場合（本実施形態では移動先の部屋が洋室３である場合）には、コントローラ２２は、次に、移動元の部屋の検出室温データをその部屋の室温センサから取得すると共に、外気温の検出気温データを外気温センサ１９ｘから取得する（ＳＴＥＰ７）。
【００３９】
次いで、コントローラ２２は、移動元の部屋の検出室温と外気温の検出温度との差の絶対値が所定値ε２（例えば２℃）を越えているか否かを判断し（ＳＴＥＰ８）、越えている場合にはさらに、移動先の部屋の空調装置および換気装置が共に運転中であるか否かを判断する（ＳＴＥＰ９）。本実施形態では、ＳＴＥＰ９の判断処理を実行するのは、移動先の部屋が洋室３である場合であり、ＳＴＥＰ９の判断は、洋室３のファンヒータ１０、床暖房装置１１、および換気装置１３からコントローラ２２に与えられる運転情報データに基づいて行なわれる。
【００４０】
そして、ＳＴＥＰ９の判断結果がＮＯである場合には、コントローラ２２の処理はＳＴＥＰ７に戻り、ＳＴＥＰ９の判断結果がＹＥＳである場合には、ＳＴＥＰ１０の処理を経てＳＴＥＰ７からの処理を繰り返す。上記ＳＴＥＰ１０では、コントローラ２２は、移動元の部屋の給排気装置の吸引運転を行わせ、且つ、移動先の部屋の給排気装置の給気運転を行わせる。このＳＴＥＰ７〜１０のルーチン処理により、移動先の部屋としての洋室３の空調装置であるファンヒータ１０もしくは床暖房装置１１の運転と、換気装置である換気扇装置１３の運転とが並行して行われた場合には、移動元の部屋の検出室温と外気温（検出温度）とがほぼ同等になるまで、移動元の部屋の室内空気が、前記ダクト２０を通って洋室３（移動先の部屋）に供給される。
【００４１】
ここで、移動先の部屋としての洋室３の換気扇装置３を運転したときには、洋室３の空気が屋外に強制排気されつつ、外気が通気口１４を介して洋室３内に導入される。このため、洋室３の室温は、外気温に近づく方向に変移する傾向となる。具体的には、例えば冬季において、移動先の部屋としての洋室３の暖房をファンヒータ１０もしくは床暖房装置１１もしくはその両者により行っているときに、洋室３の換気を行うために換気扇装置１３を運転させると、洋室３の室温は、外気温に向かって下降傾向となる。そして、このような場合に、前記ＳＴＥＰ７〜１０のルーチン処理によって、移動元の部屋の室温が、外気温よりも前記所定値ε２（例えば２℃）よりも高い状態である限り、移動元の部屋の室内空気が洋室３（移動先の部屋）に供給されるため、洋室３の室温の下降傾向が抑制される。そして、このとき、洋室３でファンヒータ１０もしくは床暖房装置１１により、洋室３内の室温を設定温度（在室者にとって快適な温度）に保つような温調運転を行っている場合には、上記の如く洋室３の室温の下降傾向が抑えられることで、ファンヒータ１０や床暖房装置１１のエネルギー消費を抑制できる。
【００４２】
上記ＳＴＥＰ７〜１０のルーチン処理は、ＳＴＥＰ８の判断結果がＮＯになるまで、すなわち、移動元の部屋の検出室温と外気温の検出温度との差の絶対値が前記所定値ε２以下になって、それらがほぼ同等の温度になるまで実行される。
【００４３】
そして、ＳＴＥＰ８の判断結果ＹＥＳになると、コントローラ２２は、移動元、および移動先の部屋のそれぞれの給排気装置の運転を停止させた後（ＳＴＥＰ１１）、前記ＳＴＥＰ１の処理に戻る。なお、ＳＴＥＰ１１において、既に移動元、および移動先の部屋のそれぞれの給排気装置の運転が停止している場合（ＳＴＥＰ８の最初の判断結果がＹＥＳである場合）には、その運転停止状態が維持される。
【００４４】
以上説明したコントローラ２２の処理を実行したときの移動元の部屋の室温と移動先の部屋の室温との変化の一例を図４に示す。この例では、移動元の部屋は例えば和室２であり、移動先の部屋は洋室３である。また、移動元の部屋の和室２では、その和室２に人が在室していたときに、ファンヒータ７の温調運転を行いわせていたものとする。
【００４５】
図４に示すように、時刻ｔ１に、人が和室２から洋室３に移動したことがコントローラ２２により把握されると、和室２から洋室３への室内空気の移動が開始し、移動先の洋室３の室温Ｔ３が上昇していくと共に、移動元の和室２の室温Ｔ２が下降していく。なお、この例では、人が移動先の洋室３に移動して直ぐに、ファンヒータ１０もしくは床暖房装置１１により洋室３の暖房運転（温調運転）を開始しているものとする。
【００４６】
この場合、和室２から暖められた室内空気が洋室３に供給されることで、比較的速やかに洋室３の室温Ｔ３が上昇していく。そして、洋室３の室温Ｔ３と和室２の室温Ｔ２とがほぼ同等となる（詳しくは、｜Ｔ３−Ｔ２｜≦ε１となる）時刻ｔ２において、和室２から洋室３への室内空気の移動が停止され、その後、移動元の和室２の室温Ｔ２は、自然放熱により下降していく。
【００４７】
その後、洋室３の室温Ｔ３が、ファンヒータ１０等により人が設定した設定温度に達した後に、時刻ｔ３において、換気扇装置１３の運転が開始されたものとする。また、このとき、時刻ｔ３における移動元の和室２の室温Ｔ２は、まだ、外気温よりも高い（詳しくは、Ｔ２＞外気温＋ε２）とする。
【００４８】
このとき、和室２から洋室３への室内空気の移動が再開し、その室内空気の移動が、和室２の室温Ｔ２が外気温にほぼ等しくなる（詳しくは、｜Ｔ２−外気温｜≦ε２になる）まで行われる。この場合、洋室３での換気扇装置１３の運転により洋室３には外気が導入されるが、外気温よりも高い温度の和室２の室内空気が洋室３に供給されるため、洋室３の室温Ｔ３が下降傾向になるのが抑制される。
【００４９】
なお、以上説明した実施形態では、和室２および洋室３に、空調装置としてファンヒータや床暖房装置を備えた例を示したが、これらの部屋の空調装置として、冷暖房が可能な空調装置（通常的なエアコン装置）を備えてもよい。この場合、夏季において、和室２や洋室３の冷房を行うような場合においても、コントローラ２２により前記図３のフローチャートの処理を行うことで、前記実施形態で説明したものと同様の効果を奏することができる。例えば、冷房していた和室２から洋室３や脱衣室４、バス・トイレ室５に人が移動した場合において、和室２の室温と移動先の部屋の室温との差が大きいとき（詳しくは、差の絶対値が前記所定値ε１を越えているとき）には、人の移動直後に、和室２内の冷やされた室内空気が移動先の部屋に供給されることで、その移動先の部屋を冷やすことができる。また、例えば、上記和室２から洋室３に人が移動して、洋室３のエアコン装置により冷房を行い、その後（和室２から洋室３への室内空気の移動が停止した後）、洋室３の換気を行うべく換気扇装置１３を運転させた場合において、移動元の和室２の室温が外気温よりも未だ十分に低いとき（詳しくは、和室２の室温と外気温との差の絶対値が前記所定値ε２を越えているとき）には、和室２から洋室３への室内空気の移動が再開されるため、洋室３の室温が外気温側に上昇傾向になるのを抑制することができる。
【００５０】
また、前記実施形態では、ダクト２０を用いて各部屋相互間で室内空気を移動させる例を示したが、例えば、複数の部屋が一つの廊下に臨んで配置されているような家屋においては、各部屋と廊下との間の仕切り壁やドア等に、双方向の空気移動が可能な送風装置（例えば正逆両方向に回転可能なファン）を備えておき、移動元の部屋と移動先の部屋との間で廊下を介して室内空気を移動させるようにしてもよい。この場合には、移動元の部屋の送風装置を該部屋から廊下に向かって送風するように作動させると同時、移動先の部屋の送風装置を廊下から該部屋に向かって送風するように作動させることで、移動元の部屋から移動先の部屋への室内空気の移動を行うことができる。
【００５１】
また、例えば２つの隣接する部屋間でのみ、室内空気を移動させるようにする場合には、それらの２つの部屋間の仕切り壁やドア等に、双方向の空気移動が可能な送風装置を備えておき、その送風装置により両部屋間の室内空気の移動を行うようにしてもよい。
【図面の簡単な説明】
【図１】本発明の一実施形態のシステムを備えた家屋の内部構成を概略的に示す平面図。
【図２】実施形態のシステムに備えたコントローラと各種機器との関係を表すブロック図。
【図３】図２のコントローラの制御処理を示すフローチャート。
【図４】実施形態のシステムの作動による各部屋の室温の変化の一例を示すグラフ。
【符号の説明】
１…家屋、２，３，４，５…部屋、１０…ファンヒータ（空調装置）、１１…床暖房装置（空調装置）、１３…換気扇装置（換気装置）、１９ａ〜１９ｄ…室温センサ（室温検出手段）、１９ｘ…外気温センサ（屋外温度検出手段）、２０…ダクト（空気流通路、空気移動手段）、２１ａ〜２１ｄ…給排気装置（空気移動手段）、２２…コントローラ（在室不在判断手段、制御手段）。
【図１】
2004293849.tif 000003
【図２】
2004293849.tif 000004
【図３】
2004293849.tif 000005
【図４】
2004293849.tif 000006